(57)【要約】【課題】隔壁と電極又は基板との間の十分な密着力及び十分な開口率の維持を両立することができる情報表示用パネルを提供する。【解決手段】電極１５のパターンが形成された透明な表示面側の基板１２と、電極１８のパターンが形成された背面側の基板１７と、電極１５に対して平行な又は非平行な四角形のパターンの隔壁１３とによって形成された空間に、表示媒体を封入し、表示媒体に電界を付与することによって、表示媒体を移動させて情報を表示する情報表示用パネルにおいて、電極１５に対して９０°以下の角度をなす隔壁１３の線幅が、電極１５に対して平行な隔壁１３の線幅と異なる【選択図】図４
2007226027.tif 000002
【特許請求の範囲】
【請求項１】
電極のパターンが形成された透明な表示面側の基板と、電極のパターンが形成された背面側の基板と、前記表示面側の基板の電極に対して平行又は非平行な四角形のパターンの隔壁とによって形成された空間に、表示媒体を封入し、表示媒体に電界を付与することによって、表示媒体を移動させて情報を表示する情報表示用パネルにおいて、前記表示面側の基板の電極に対して非平行な隔壁の線幅が、前記表示面側の基板の電極に対して平行な隔壁の線幅と異なることを特徴とする情報表示用パネル。
【請求項２】
前記表示面側の基板の電極に対して非平行な隔壁の線幅が、前記表示面側の基板の電極に対して平行な隔壁の線幅より細いことを特徴とする請求項１記載の情報表示用パネル。
【請求項３】
前記電極をＩＴＯによって構成したことを特徴とする請求項１又は２記載の情報表示用パネル。
【請求項４】
前記基板をガラスによって構成したことを特徴とする請求項１〜３のいずれか１項に記載の情報表示用パネル。
【請求項５】
前記隔壁及び有色遮光物を一体的に形成したことを特徴とする請求項１〜４のうちのいずれか１項に記載の情報表示用パネル。
【請求項６】
前記電極の上に設けた部分における隔壁のパターンの線幅を、１〜２０μｍとしたことを特徴とする請求項１から５のうちのいずれか１項に記載の情報表示用パネル。
【発明の詳細な説明】
【技術分野】
【０００１】
本発明は、電極のパターンが形成された透明な表示面側の基板と、電極のパターンが形成された背面側の基板と、前記表示面側の基板の電極に対して平行又は非平行な四角形のパターンの隔壁とによって形成された空間に、表示媒体を封入し、表示媒体に電界を付与することによって、表示媒体を移動させて情報を表示する情報表示用パネルに関するものである。
【背景技術】
【０００２】
従来より、液晶（ＬＣＤ）に代わる情報表示装置として、電気泳動方式、エレクトロクロミック方式、サーマル方式、２色粒子回転方式等の技術を用いた情報表示装置が提案されている。
【０００３】
これら従来技術は、ＬＣＤと比較すると、通常の印刷物に近い広い視野角が得られる、消費電力が小さい、メモリー機能を有している等のメリットがあることから、次世代の安価な情報表示装置に使用可能な技術として考えられており、携帯端末用情報表示、電子ペーパー等への展開が期待されている。特に最近では、分散粒子と着色溶液から成る分散液をマイクロカプセル化し、これを対向する基板間に配置して成る電気泳動方式が提案され、期待が寄せられている。
【０００４】
しかしながら、電気泳動方式では、液中を粒子が泳動するために液の粘性抵抗により応答速度が遅くなるという問題がある。さらに、低比重の溶液中に酸化チタン等の高比重の粒子を分散させているため沈降しやすくなっており、分散状態の安定性維持が難しく、情報表示の繰り返し安定性に欠けるという問題を抱えている。また、マイクロカプセル化にしても、セルサイズをマイクロカプセルレベルにして、見かけ上、上述した欠点が現れにくくしているだけであって、本質的な問題は何ら解決されていない。
【０００５】
一方、溶液中での挙動を利用する電気泳動方式に対し、溶液を使わず、導電性粒子と電荷輸送層とを基板の一部に組み入れる方式も提案され始めている（例えば、非特許文献１参照）。しかし、電荷輸送層、さらには電荷発生層を配置するために構造が複雑化するとともに、導電性粒子に電荷を一定に注入することは難しいため、表示を書き換える際の安定性に欠けるという問題もある。
【０００６】
上述した種々の問題を解決するための一方法として、少なくとも一方が透明な対向する２枚の基板間に、少なくとも１種類以上の粒子から構成される光学的反射率及び帯電性を有する少なくとも１種類以上の表示媒体を封入し、表示媒体に電界を付与することによって、表示媒体を移動させて情報を表示する情報表示用パネルが知られている。
【非特許文献１】趙  国来、外３名、“新しいトナーディスプレイデバイス（Ｉ）”、１９９９年７月２１日、日本画像学会年次大会（通算８３回）“Japan Hardcopy’99”論文集、p.249-252
【発明の開示】
【発明が解決しようとする課題】
【０００７】
従来の情報表示用パネルでは、電極の上に設けた部分における隔壁のパターンの線幅が、基板の上に設けた部分における隔壁のパターンの線幅と同一になっている。隔壁のパターンの線幅は、隔壁と電極又は基板との間の密着力を高くするためにはできるだけ太くするのが望ましいが、表示コントラストを上げるよう開口率を高くするためにはできるだけ細くする必要がある。
【０００８】
その結果、従来の情報表示用パネルでは、隔壁と電極又は基板との間の十分な密着力及び十分な開口率の維持を両立するのが困難である。
【０００９】
本発明の目的は、隔壁と電極又は基板との間の十分な密着力及び十分な開口率の維持を両立することができる情報表示用パネルを提供することである。
【課題を解決するための手段】
【００１０】
本発明による情報表示用パネルは、電極のパターンが形成された透明な表示面側の基板と、電極のパターンが形成された背面側の基板と、前記表示面側の基板の電極に対して平行又は非平行な四角形のパターンの隔壁とによって形成された空間に、表示媒体を封入し、表示媒体に電界を付与することによって、表示媒体を移動させて情報を表示する情報表示用パネルにおいて、前記表示面側の基板の電極に対して非平行な隔壁の線幅が、前記表示面側の基板の電極に対して平行な隔壁の線幅と異なることを特徴とする。
【００１１】
好適には、前記表示面側の基板の電極に対して非平行な隔壁の線幅を、前記表示面側の基板の電極に対して平行な隔壁の線幅より細くする。
【００１２】
また、前記電極をＩＴＯによって構成し、前記基板をガラスによって構成し、前記隔壁及び表示媒体を一体的に形成するのが好ましい。
【００１３】
さらに、前記電極の上に設けた部分における隔壁のパターンの線幅を、１〜２０μｍとするのが好ましい。
【発明の効果】
【００１４】
本発明によれば、表示面側の基板の電極に対して非平行な隔壁（リブ）の線幅が、表示面側の基板の電極に対して平行な隔壁（リブ）の線幅と異なる。すなわち、表示面側の基板の電極に対して非平行な隔壁（リブ）の線幅が、表示面側の基板の電極に対して平行な隔壁（リブ）の線幅のうち、十分な密着力がある方の少なくとも一部を細くすることができる。その結果、隔壁と電極又は基板との間の十分な密着力及び十分な開口率の維持を両立することができる。
【発明を実施するための最良の形態】
【００１５】
まず、本発明の情報表示用パネルの基本的な構成について説明する。本発明の対象となる情報表示用パネルでは、対向する２枚の基板間に封入した表示媒体（有色遮蔽物）に電界が付与される。付与された電界方向にそって、帯電した表示媒体が電界による力やクーロン力などによって引き寄せられ、電位の切替による電界方向の変化によって表示媒体の移動方向が変わることにより、画像等の情報表示がなされる。従って、表示媒体が、均一に移動し、かつ、繰り返し表示を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１６】
本発明の情報表示用パネルの例を、図１〜図３に基づき説明する。
【００１７】
図１に示す例では、少なくとも１種以上の粒子から構成される少なくとも２種以上の光学的反射率及び帯電特性の異なる表示媒体３（ここでは白色表示用粒子３Ｗａの粒子群からなる白色表示媒体３Ｗと黒色表示用粒子３Ｂａの粒子群からなる黒色表示媒体３Ｂを示す）を、基板１、２の外側に設けた電極５，６から加えられる電界に応じて、基板１、２と垂直に移動させ、黒色表示媒体３Ｂを観察者に視認させて黒色の表示を行うか、あるいは、白色表示媒体３Ｗを観察者に視認させて白色の表示を行っている。なお、図１に示す例では、基板１、２との間に例えば格子状に隔壁４を設けセルを形成し、手前にある隔壁は省略している。
【００１８】
図２に示す例では、少なくとも１種以上の粒子から構成される少なくとも２種以上の光学的反射率及び帯電特性の異なる表示媒体３（ここでは白色表示用粒子３Ｗａの粒子群からなる白色表示媒体３Ｗと黒色表示用粒子３Ｂａの粒子群からなる黒色表示媒体３Ｂを示す）を、基板１，２の内側に設けた電極５，６の間に電圧を印加することにより発生する電界に応じて、基板１、２と垂直に移動させ、黒色表示媒体３Ｂを観察者に視認させて黒色の表示を行うか、あるいは、白色表示媒体３Ｗを観察者に視認させて白色の表示を行っている。なお、図２に示す例では、基板１、２との間に例えば格子状に隔壁４を設けセルを形成し、手前にある隔壁は省略している。
【００１９】
図３に示す例では、少なくとも１種以上の粒子から構成される少なくとも光学的反射率と帯電性を有する表示媒体３（ここでは白色表示用粒子３Ｗａの粒子群からなる白色表示媒体３Ｗを示す）を、基板１に設けた電極５と電極６との間に電圧を印加することにより発生する電界に応じて、基板１、２と平行方向に移動させ、白色表示媒体３Ｗを観察者に視認させて白色の表示を行うか、あるいは、電極６又は基板１の色を観察者に視認させて電極６又は基板１の色の表示を行っている。なお、図３に示す例では、基板１、２との間に例えば格子状の隔壁４を設けセルを形成し、手前にある隔壁は省略している。
【００２０】
以上の説明は、粒子群からなる白色表示媒体３Ｗを粉流体からなる白色媒体に、粒子群からなる黒色表示媒体３Ｂを粉流体からなる黒色表示媒体に、それぞれ置き換えた場合も同様に適用することが出来る。分流体については後述する。
【００２１】
図４（ａ）、（ｂ）、（ｃ）はそれぞれ本発明の情報表示用パネルの正面図、Ａ−Ａ断面図及びＢ−Ｂ断面図である。この場合、格子状の隔壁／ブラックマトリックス（ＢＭ）パターン１１が、表示面側の基板１２に形成される。図４（ｂ）に示すように＾、Ａ−Ａ断面において、隔壁１３の一方の側は、表示エリア内で隔壁１３と一体で形成された樹脂製のブラックマトリックス（ＢＭ）１４を介して、基板１２に設けられた電極パターン１５に接着され、他方の側は、接着剤１６を介して、背面側の基板１７のうちの電極パターン１８が設けられていない部分に接着される。一方、図４（ｃ）に示すように、Ｂ−Ｂ断面において、隔壁１３の一方の側は、ブラックマトリックス（ＢＭ）１４を介して、基板１２のうちの電極パターン１５が設けられていない部分に接着され、他方の側は、接着剤１６を介して、背面側の基板１７に設けられた電極パターン１８に接着される。
【００２２】
ＢＭ材料−ガラス間の密着力は、ＢＭ材料−電極間の密着力より低く、更に液晶の場合と比べると、隔壁分だけアスペクト比が高くなるため、ＢＭの線幅が十分太くない場合には、選択的にこの界面での剥離が起こりやすくなる。一方、表示コントラストを上げるためには、開口率を高くする方がよいが、そのためには、隔壁／ＢＭパターンの線幅をできるだけ細くする必要がある。
【００２３】
図４（ｂ）に示すようなＡ−Ａ断面では、隔壁／ＢＭパターン１１は、電極１５の上に形成されている。両者が直接コンタクトしている界面はＢＭ／電極間であるが、この界面での接着力は十分確保されているため、電極１５に対して垂直な隔壁／ＢＭパターン１１（リブ）の幅ａを十分細く（例えば、１０μｍ）とすることができる。一方、隔壁／ＢＭパターン１１は、基板１２の上に直接形成されている。両者が直接コンタクトしている界面はＢＭ／ガラス界面であるが、この界面での接着力は、ＢＭ／電極間に比べて小さいので、接着力を確保するためには、電極１５に対して平行な隔壁／ＢＭパターン１１（リブ）の幅ｂを幅ａに比べて太くする（例えば、１５μｍ）とする必要がある。したがって、十分な密着力がある幅ａの部分の隔壁／ＢＭパターン１１を細くすることができるので、隔壁１３と基板１２又は電極１５との間の十分な密着力及び十分な開口率の維持を両立することができる。
【００２４】
図５は、（ａ）、（ｂ）、（ｃ）はそれぞれ本発明の他の情報表示用パネルの正面図、Ａ−Ａ断面図及びＢ−Ｂ断面図である。図４では、格子状の隔壁／ＢＭパターンのうち電極と平行に形成される部分が電極間の隙間に形成された場合について説明したが、図５に示すように、隔壁／ＢＭパターン２１の一部が電極２２の一部に乗り上げた形状をとる場合でも、図４と同様の効果を得ることができる。
【００２５】
以下、本発明の情報表示用パネルを構成する各部材について説明する。
【００２６】
基板については、少なくとも一方の基板はパネル外側から表示媒体３の色が確認できる透明な基板２であり、可視光の透過率が高くかつ耐熱性の良い材料が好適である。基板１は透明でも不透明でもかまわない。基板材料を例示すると、ポリエチレンテレフタレート、ポリエチレンナフタレート、ポリエーテルサルフォン、ポリエチレン、ポリカーボネート、ポリイミド、アクリルなどのポリマーシートや、金属シートのように可とう性のあるもの、及び、ガラス、石英などの可とう性のない無機シートが挙げられる。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。
【００２７】
電極の電極形成材料としては、アルミニウム、銀、ニッケル、銅、金等の金属類や酸化インジウム錫（ＩＴＯ）、酸化インジウム、導電性酸化錫、アンチモン錫酸化物（ＡＴＯ）、導電性酸化亜鉛等の導電金属酸化物類、ポリアニリン、ポリピロール、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状にパターニング形成する方法や、導電剤を溶媒や合成樹脂バインダーに混合して塗布してパターニング形成する方法が用いられる。視認側（表示面側）基板に設ける電極は透明である必要があるが、背面側基板に設ける電極は透明である必要がない。いずれの場合もパターン形成可能である導電性である上記材料を好適に用いることができる。なお、電極厚みは、導電性が確保でき光透過性に支障がなければ良く、３〜１０００ｎｍ、好ましくは５〜４００ｎｍが好適である。背面側基板に設ける電極の材質や厚みなどは上述した表示面側基板に設ける電極と同様であるが、透明である必要はない。なお、この場合の外部電圧入力は、直流あるいは交流を重畳しても良い。
【００２８】
隔壁４については、その形状は表示にかかわる表示媒体の種類や、配置する電極の形状、配置により本発明の範囲で最適設定され、一概には限定されないが、隔壁の幅は２〜１００μｍ、好ましくは３〜５０μｍに、隔壁の高さは１０〜１００μｍ、好ましくは１０〜５０μｍに調整される。
また、隔壁を形成するにあたり、対向する両基板１、２の各々にリブを形成した後に接合する両リブ法、片側の基板上にのみリブを形成する片リブ法が考えられる。この発明では、いずれの方法も好適に用いられる。
ここで、隔壁の形成方法を例示すると、金型転写法、スクリーン印刷法、サンドブラスト法、フォトリソ法、アディティブ法が挙げられる。いずれの方法もこの発明の情報表示用パネルに好適に用いることができるが、これらのうち、レジストフィルムを用いるフォトリソ法や金型転写法が好適に用いられる。
【００２９】
次に、本発明の情報表示用パネルで表示媒体として例えば用いる粉流体について説明する。なお、本発明の情報表示用パネルで用いる粉流体の名称については、本出願人が「電子粉流体（登録商標）：登録番号4636931」の権利を得ている。
【００３０】
本発明における「粉流体」は、気体の力も液体の力も借りずに、自ら流動性を示す、流体と粒子の特性を兼ね備えた両者の中間状態の物質である。例えば、液晶は液体と固体の中間的な相と定義され、液体の特徴である流動性と固体の特徴である異方性（光学的性質）を有するものである（平凡社：大百科事典）。一方、粒子の定義は、無視できるほどの大きさであっても有限の質量をもった物体であり、重力の影響を受けるとされている（丸善：物理学事典）。ここで、粒子でも、気固流動層体、液固流動体という特殊状態があり、粒子に底板から気体を流すと、粒子には気体の速度に対応して上向きの力が作用し、この力が重力とつりあう際に、流体のように容易に流動できる状態になるものを気固流動層体と呼び、同じく、流体により流動化させた状態を液固流動体と呼ぶとされている（平凡社：大百科事典）。このように気固流動層体や液固流動体は、気体や液体の流れを利用した状態である。本発明では、このような気体の力も、液体の力も借りずに、自ら流動性を示す状態の物質を、特異的に作り出せることが判明し、これを粉流体と定義した。
【００３１】
すなわち、本発明における粉流体は、液晶（液体と固体の中間相）の定義と同様に、粒子と液体の両特性を兼ね備えた中間的な状態で、先に述べた粒子の特徴である重力の影響を極めて受け難く、高流動性を示す特異な状態を示す物質である。このような物質はエアロゾル状態、すなわち気体中に固体状もしくは液体状の物質が分散質として安定に浮遊する分散系で得ることができ、本発明の情報表示用パネルで固体状物質を分散質とするものである。
【００３２】
本発明の情報表示用パネルは、少なくとも一方が透明な、対向する基板間に、例えば気体中に固体粒子が分散質として安定に浮遊するエアロゾル状態で高流動性を示す粉流体を封入するものであり、このような粉流体は、小さな電界の力等でクーロン力などにより容易に安定して移動させることができる。
本発明に表示媒体として例えば用いる粉流体とは、先に述べたように、気体の力も液体の力も借りずに、自ら流動性を示す、流体と粒子の特性を兼ね備えた両者の中間状態の物質である。この粉流体は、特にエアロゾル状態とすることができ、本発明の情報表示用パネルでは、気体中に固体状の物質が分散質として比較的安定に浮遊する状態で表示媒体として用いられる。
【００３３】
次に、本発明の情報表示用パネルにおいて表示媒体を構成する表示用粒子（以下、粒子ともいう）について説明する。表示用粒子は、そのまま該表示用粒子だけで構成して表示媒体としたり、その他の粒子と合わせて構成して表示媒体としたり、粉流体となるように調整、構成して表示媒体としたりして用いられる。
粒子には、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００３４】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００３５】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００３６】
着色剤としては、以下に例示するような、有機又は無機の各種、各色の顔料、染料が使用可能である。
【００３７】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００３８】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００３９】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００４０】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料及び無機系添加剤は、単独であるいは複数組み合わせて用いることができる。このうち特に黒色顔料としてカーボンブラックが、白色顔料として酸化チタンが好ましい。上記着色剤を配分して所望の色の表示用粒子を作製できる。
【００４１】
また、本発明の表示用粒子（以下、粒子ともいう）は平均粒子径d(0.5)が、０．１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００４２】
更に本発明では、各粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、均一な表示媒体としての移動が可能となる。
【００４３】
さらにまた、各粒子の相関について、使用した粒子の内、最大径を有する粒子のd(0.5)に対する最小径を有する粒子のd(0.5)の比を５０以下、好ましくは１０以下とすることが肝要である。たとえ粒子径分布Spanを小さくしたとしても、互いに帯電特性の異なる粒子が互いに反対方向に動くので、互いの粒子サイズが近く、互いの粒子が当量ずつ反対方向に容易に移動できるようにするのが好適であり、それがこの範囲となる。
【００４４】
なお、上記の粒子径分布及び粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径及び粒子径分布が測定できる。
ここで、本発明における粒子径及び粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径及び粒子径分布の測定を行なうことができる。
【００４５】
表示媒体を構成する表示用粒子の帯電量は当然その測定条件に依存するが、情報表示用パネルにおける表示用粒子の帯電量はほぼ、初期帯電量、隔壁との接触、基板との接触、経過時間に伴う電荷減衰に依存し、特に表示媒体用粒子の帯電挙動の飽和値が支配因子となっているということが分かった。
【００４６】
本発明者らは鋭意検討の結果、ブローオフ法において同一のキャリア粒子を用いて、表示媒体に用いる表示用粒子の帯電量測定を行うことにより、表示用粒子の適正な帯電特性値の範囲を評価できることを見出した。
【００４７】
更に、表示用粒子で構成する粒子群や粉流体等の表示媒体を乾式の情報表示用パネルに適用する場合には、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、図１（ａ）、（ｂ）〜図３（ａ）、（ｂ）において、対向する基板１、基板２に挟まれる部分から、電極５、６（電極を基板の内側に設けた場合）、表示媒体３の占有部分、隔壁４の占有部分、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の載置、情報表示用パネルの組み立てなどを所定湿度環境下にて行い、さらに、外からの湿度侵入を防ぐシール材、シール方法を施すことが肝要である。
【００４８】
本発明の対象となる情報表示用パネルにおける基板と基板との間隔は、表示媒体が移動できて、コントラストを維持できればよいが、通常１０〜５００μｍ、好ましくは１０〜２００μｍに調整される。
対向する基板間の空間における表示媒体の体積占有率は５〜７０％が好ましく、さらに好ましくは５〜６０％である。７０％を超える場合には表示媒体の移動に支障をきたし、５％未満の場合にはコントラストが不明確となり易い。
【００４９】
本発明は、上記実施の形態に限定されるものではなく、幾多の変更及び変形が可能である。
例えば、上記実施の形態において、障壁で仕切られるセル形状として正方形又は長方形の場合について説明したが、セル形状を、ひし形を含む平行四辺形とし、配列として、隔壁が線状リブ構造となるようにしてもよい。また、上記実施の形態において、ストリップ状の電極を用いる場合について説明したが、行列配置された個別電極を用いる場合についても本発明を適用することができる。この場合、個別電極の形状は、セル形状に対応する。すなわち、本発明において、正方形のセル空間２１及びストリップ状の電極２２を用いたり（図６（ａ）参照）、平行四辺形のセル空間２３及びストリップ状の電極２４を用いたり、平行四辺形のセル空間２５及びそれに対応する平行四辺形の個別の電極２６を用いたりすることができる。
【産業上の利用可能性】
【００５０】
本発明の情報表示用パネルは、ノートパソコン、ＰＤＡ、携帯電話、ハンディターミナル等のモバイル機器の表示部、電子ブック、電子新聞等の電子ペーパー、看板、ポスター、黒板等の掲示板、電卓、家電製品、自動車用品等の表示部、ポイントカード、ＩＣカード等のカード表示部、電子広告、情報ボード、電子ＰＯＰ(Point Of Presence, Point Of Purchase advertising)、電子値札、電子棚札、電子楽譜、ＲＦ−ＩＤ機器の表示部などに好適に用いられる。
【図面の簡単な説明】
【００５１】
【図１】本発明の情報表示用パネルの一例を示す図である。
【図２】本発明の情報表示用パネルの他の例を示す図である。
【図３】本発明の情報表示用パネルのさらに他の例を示す図である。
【図４】（ａ）、（ｂ）、（ｃ）はそれぞれ本発明の情報表示用パネルの正面図、Ａ−Ａ断面図及びＢ−Ｂ断面図である。
【図５】（ａ）、（ｂ）、（ｃ）はそれぞれ本発明の他の情報表示用パネルの正面図、Ａ−Ａ断面図及びＢ−Ｂ断面図である。
【図６】電極及びセル空間のパターンを示す図である。
【符号の説明】
【００５２】
１、２、１２、１７  基板
３  表示媒体（粒子群、粉流体）
３Ｗ  白色表示媒体
３Ｗａ  白色表示用粒子
３Ｂ  黒色表示媒体
３Ｂａ  黒色表示用粒子
４  隔壁
５、６、２２、２４、２６  電極
１１  隔壁／ＢＭパターン
１３  隔壁
１４  ＢＭ
１５、１８  電極パターン
１６  接着剤
２１、２３、２５  セル空間
【図１】
2007226027.tif 000003
【図２】
2007226027.tif 000004
【図３】
2007226027.tif 000005
【図４】
2007226027.tif 000006
【図５】
2007226027.tif 000007
【図６】
2007226027.tif 000008